(57)【要約】【課題】本発明は商用交流電力を使用する各種の電気製品及び電子製品のそれぞれが消耗する電力をそれぞれ検出する電力量検出装置を提供する。【解決手段】この電力量検出装置は、複数個のコンセントユニットがコンセントを通して電力が供給される初期に負荷と通信を行うことで負荷の情報を確認し、該当の負荷が使用する電力量を積算し、単位時間間隔で積算した電気量及び該当の負荷の情報を伝送し、複数個のコンセントユニットに供給される全体電力量を検針しながら前記複数個のコンセントユニットが伝送する電気量及び該当の負荷の情報をサーバーが受信して負荷別に電気量を積算して格納し、キー入力部の信号に応じてサーバーが負荷を選択し、選択した負荷の電力量を表示部に表示する。【選択図】図１
2011185928.tif 000002
【特許請求の範囲】
【請求項１】
コンセントにそれぞれ設置され、前記コンセントを通して負荷に電力が供給される場合に負荷と通信を行って負荷の情報を獲得し、該当の負荷が使用する電力量を検針して前記負荷の情報と共に伝送する複数個のコンセントユニットと、
前記複数個のコンセントユニットを通して複数個の負荷に供給される全体電力量を積算検針して表示し、前記複数個のコンセントユニットのそれぞれが伝送する負荷の情報によってデータベースを構築して該当の負荷の電力量を積算し、積算した負荷のそれぞれの電力量を表示するサーバーと、
を含んで構成される電力量検出装置。
【請求項２】
前記複数個のコンセントユニットのそれぞれは、
前記コンセントを通して前記負荷に供給される電力量を検出する電力量検出部と、
前記電力量検出部の出力信号から、前記コンセントを通して前記負荷に電力が供給されるか否かを判断し、負荷に電力が供給されると判断される場合に、前記負荷と通信を行って負荷の情報を獲得し、前記電力量検出部が検出する電力量を累積し、累積した電力量及び前記負荷の情報を前記サーバーに伝送するサブ制御部と、
前記サブ制御部の制御によって前記負荷及び前記サーバーと通信を行う通信部と、
を含んで構成されることを特徴とする、請求項１に記載の電力量検出装置。
【請求項３】
前記サブ制御部の動作プログラム及び作業データが格納されるとともに、前記電力量検出部が検出する電力量が前記サブ制御部の制御によって積算されて格納されるメモリーをさらに含んで構成されることを特徴とする、請求項２に記載の電力量検出装置。
【請求項４】
前記通信部は、前記電力線を介して通信を行うＰＬＣ（Ｐｏｗｅｒ  Ｌｉｎｅ  Ｃｏｍｍｕｎｉｃａｔｉｏｎ）通信部であることを特徴とする、請求項２に記載の電力量検出装置。
【請求項５】
前記複数個のコンセントユニットのそれぞれは、
前記負荷と通信をする場合に、前記負荷と通信するデータが別のコンセントユニット及び前記サーバーに転送されないようにするフィルターをさらに含むことを特徴とする、請求項１に記載の電力量検出装置。
【請求項６】
前記サーバーは、
電力線を通して前記複数個のコンセントユニットに供給される全体電力量を検出する電力量検出部と、
前記複数個のコンセントユニットが伝送する負荷の情報及び電力量を受信する通信部と、
前記電力量検出部が検出する全体電力量を積算して全体検針電力量の検出及び表示を制御するとともに、前記通信部が受信する負荷の種類別に該当の負荷の使用電力量を積算して格納し、積算して格納した負荷別電力量の表示を制御するメイン制御部と、
前記メイン制御部の制御によって前記全体検針電力量及び前記負荷別電力量を表示する表示部と、
を含んで構成されることを特徴とする、請求項１に記載の電力量検出装置。
【請求項７】
前記通信部は、前記電力線を介して通信を行うＰＬＣ（Ｐｏｗｅｒ  Ｌｉｎｅ  Ｃｏｍｍｕｎｉｃａｔｉｏｎ）通信部であることを特徴とする、請求項６に記載の電力量検出装置。
【請求項８】
前記メイン制御部が負荷を選択して該当の負荷の電力量を表示するように命令するためのキー入力部をさらに含んで構成されることを特徴とする、請求項６に記載の電力量検出装置。
【請求項９】
漏電の発生を警報する警報部をさらに含み、
前記メイン制御部は、
積算して格納した負荷別電力量の全体を合算した合算電力量と前記全体検針電力量とを比較し、比較の結果、前記全体検針電力量が前記合算電力量より設定値以上大きい場合に漏電の発生と判断し、前記警報部が警報を発生するように制御することを特徴とする、請求項６に記載の電力量検出装置。
【請求項１０】
前記メイン制御部の制御によって前記全体検針電力量及び負荷別電力量を格納するメモリーをさらに含み、
前記メイン制御部は、
前記メモリーに負荷別にデータベースを構築し、構築したデータベースに該当の負荷の時間別及び日付別に電力量を区分して格納することを特徴とする、請求項６に記載の電力量検出装置。
【請求項１１】
コンセントを通して負荷に電力が供給される場合に、サブ制御部が前記負荷と通信を行って負荷の情報を確認する段階と、
前記負荷に供給される電力量を累積する段階と、
あらかじめ設定された単位時間間隔で前記負荷の情報及び前記累積した電力量をサーバーに伝送する段階と、
を含む電力量検出方法。
【請求項１２】
前記サブ制御部と前記負荷との通信は、ＰＬＣ（Ｐｏｗｅｒ  Ｌｉｎｅ  Ｃｏｍｍｕｎｉｃａｔｉｏｎ）通信であることを特徴とする、請求項１１に記載の電力量検出方法。
【請求項１３】
前記負荷の情報及び前記累積した電力量の伝送は、ＰＬＣ（Ｐｏｗｅｒ  Ｌｉｎｅ  Ｃｏｍｍｕｎｉｃａｔｉｏｎ）通信を用いることを特徴とする、請求項１１に記載の電力量検出方法。
【請求項１４】
制御部が電力量検出部の検出信号を受信して全体検針電力量を積算する段階と、
複数個のコンセントユニットが伝送するデータを前記制御部が収集して負荷の情報及び電力量を抽出し、抽出した負荷の情報によって前記抽出した電力量を区分して積算する段階と、
前記それぞれの負荷別に区分して積算した電力量を合算して合算電力量を計算し、計算した合算電力量と前記全体検針電力量との差分値から、漏電の発生有無を判断する段階と、
前記漏電の発生と判断される場合に警報を発生する段階と、
を含む電力量検出方法。
【請求項１５】
前記抽出した負荷の情報によって前記抽出した電力量を区分して積算する段階は、
前記制御部がそれぞれの負荷別にデータベースを構築し、前記抽出した電力量を区分して積算することを特徴とする、請求項１４に記載の電力量検出方法。
【請求項１６】
キー入力部のキー信号に応じて前記制御部が前記複数の負荷のうち一つを選択し、選択した負荷の積算電力量を表示部に表示する段階をさらに含むことを特徴とする、請求項１４に記載の電力量検出方法。
【発明の詳細な説明】
【技術分野】
【０００１】
本発明は、電力量検出装置及び電力量検出方法に係り、特に、商用交流電力を使用する各種の電気製品及び電子製品が消耗する電力をそれぞれ区分して検出する電力量検出装置及び方法に関するものである。
【背景技術】
【０００２】
家庭や事務室には、電熱器及びテレビジョン受像機などをはじめとして、商用交流電力を使用する種々の電気製品及び電子製品が備えられている。
このため、家庭や事務室などには、商用交流電力が供給される埋め込み型または露出型などのコンセントが設けられている。そして、電気製品及び電子製品はプラグを備え、該プラグをコンセントに差し込むことによって商用交流電力を受け取ることができる。
【０００３】
一方、商用交流電力は使用量によって料金が算定される。このため、家庭や事務室などでは積算電力計を備えて使用電力量を積算している。
【０００４】
最近では、この積算電力計にＰＬＣ（Ｐｏｗｅｒ  Ｌｉｎｅ  Ｃｏｍｍｕｎｉｃａｔｉｏｎ）通信機能が付加され、該ＰＬＣ通信機能付き積算電力計は、外部のサーバーとＰＬＣ通信を行いながら、積算した電力量をサーバーに伝送している。また、この外部のサーバーではそれぞれの積算電力計で検針した電力量を遠隔検針することができる。
【０００５】
しかしながら、かかる積算電力計は、家庭や事務室等で電気製品及び電子製品が使用する全体電力量を積算できるだけで、それぞれの電気製品及び電子製品が使用する電力量を積算することはできない。
【発明の概要】
【発明が解決しようとする課題】
【０００６】
したがって、本発明が解決しようとする課題は、家庭や事務室等で電気製品及び電子製品が使用する電力量をそれぞれ別々に積算できる電力量検出装置及び電力量検出方法を提供することである。
【０００７】
また、本発明は、電気製品及び電子製品のそれぞれが使用する電力量を合算した合算電力量と電気製品及び電子製品全体が使用する電力量を積算した全体積算電力量とを比較することによって漏電が発生したか否かを判断し、漏電の発生と判断される場合に警報を発生する電力量検出装置及び方法を提供する。
【０００８】
本発明が解決しようとする課題は、以上に言及した技術的課題に制限されず、言及していない別の技術的課題は、下の記載から、本発明の属する技術の分野における通常の知識を有する者には明らかになるであろう。
【課題を解決するための手段】
【０００９】
本発明の一実施例に係る電力量検出装置は、コンセントにそれぞれ設置され、前記コンセントを通して負荷に電力が供給される場合に負荷と通信を行って負荷の情報を獲得し、該当の負荷が使用する電力量を検針して前記負荷の情報と共に伝送する複数個のコンセントユニットと、前記複数個のコンセントユニットを通して複数個の負荷に供給される全体電力量を積算検針して表示し、前記複数個のコンセントユニットのそれぞれが伝送する負荷の情報によってデータベースを構築して該当の負荷の電力量を積算し、積算した負荷のそれぞれの電力量を表示するサーバーと、を含んで構成されることを特徴とする。
【００１０】
前記複数個のコンセントユニットのそれぞれは、前記コンセントを通して前記負荷に供給される電力量を検出する電力量検出部と、前記電力量検出部の出力信号から、前記コンセントを通して前記負荷に電力が供給されるか否かを判断し、負荷に電力が供給されると判断される場合に、前記負荷と通信を行って負荷の情報を獲得し、前記電力量検出部が検出する電力量を累積し、累積した電力量及び前記負荷の情報を前記サーバーに伝送するサブ制御部と、前記サブ制御部の制御によって前記負荷及び前記サーバーと通信を行う通信部と、を含んで構成されることを特徴とする。
【００１１】
また、上記電力量検出装置は、前記サブ制御部の動作プログラム及び作業データが格納されるとともに、前記電力量検出部が検出する電力量が前記サブ制御部の制御によって積算して格納されるメモリーをさらに含んで構成されるを特徴とする。
【００１２】
前記複数個のコンセントユニットのそれぞれの通信部は、前記電力線を介して通信を行うＰＬＣ（Ｐｏｗｅｒ  Ｌｉｎｅ  Ｃｏｍｍｕｎｉｃａｔｉｏｎ）通信部であることを特徴とする。
【００１３】
前記複数個のコンセントユニットのそれぞれは、前記負荷と通信をする場合に前記負荷と通信するデータが、別のコンセントユニット及び前記サーバーに転送されないようにするフィルターをさらに含むことを特徴とする。
【００１４】
前記サーバーは、電力線を通して前記複数個のコンセントユニットに供給される全体電力量を検出する電力量検出部と、前記複数個のコンセントユニットが伝送する負荷の情報及び電力量を受信する通信部と、前記電力量検出部が検出する全体電力量を積算して、全体検針電力量の検出及び表示を制御するとともに、前記通信部が受信する負荷の種類別に該当の負荷の使用電力量を積算して格納し、積算して格納した負荷別電力量の表示を制御するメイン制御部と、前記メイン制御部の制御によって前記全体検針電力量及び前記負荷別電力量を表示する表示部と、を含んで構成されることを特徴とする。
【００１５】
前記サーバーの通信部は、前記電力線を介して通信を行うＰＬＣ（Ｐｏｗｅｒ  Ｌｉｎｅ  Ｃｏｍｍｕｎｉｃａｔｉｏｎ）通信部であることを特徴とする。
【００１６】
また、上記電力量検出装置は、前記メイン制御部が負荷を選択して該当の負荷の電力量を表示するように命令するためのキー入力部をさらに含んで構成されることを特徴とする。
【００１７】
また、上記電力量検出装置は、漏電の発生を警報する警報部をさらに含み、前記メイン制御部は、積算して格納した負荷別電力量の全体を合算した合算電力量と前記全体検針電力量とを比較し、比較の結果、前記全体検針電力量が前記合算電力量より設定値以上大きい場合に漏電の発生と判断し、前記警報部が警報を発生するように制御することを特徴とする。
【００１８】
また、上記電力量検出装置は、前記メイン制御部の制御によって前記全体検針電力量及び負荷別電力量を格納するメモリーをさらに含み、前記メイン制御部は、前記メモリーに負荷別にデータベースを構築し、構築したデータベースに該当の負荷の時間別及び日付別に電力量を区分して格納することを特徴とする。
【００１９】
そして、本発明の一実施例に係る電力量検出方法は、コンセントを通して負荷に電力が供給される場合に、サブ制御部が前記負荷と通信を行って負荷の情報を確認する段階と、前記負荷に供給される電力量を累積する段階と、あらかじめ設定された単位時間間隔で前記負荷の情報及び前記累積した電力量をサーバーに伝送する段階と、を含むことを特徴とする。
【００２０】
前記サブ制御部と前記負荷との通信は、ＰＬＣ（Ｐｏｗｅｒ  Ｌｉｎｅ  Ｃｏｍｍｕｎｉｃａｔｉｏｎ）通信であることを特徴とする。
【００２１】
前記負荷の情報及び前記累積した電力量の伝送は、ＰＬＣ（Ｐｏｗｅｒ  Ｌｉｎｅ  Ｃｏｍｍｕｎｉｃａｔｉｏｎ）通信を用いることを特徴とする。
【００２２】
また、本発明の他の実施例に係る電力量検出方法は、制御部が電力量検出部の検出信号を受信して全体検針電力量を積算する段階と、複数個のコンセントユニットが伝送するデータを前記制御部が収集して負荷の情報及び電力量を抽出し、抽出した負荷の情報によって前記抽出した電力量を区分して積算する段階と、前記それぞれの負荷別に区分して積算した電力量を合算して合算電力量を計算し、計算した合算電力量と前記全体検針電力量との差分値から、漏電の発生有無を判断する段階と、前記漏電の発生と判断される場合に警報を発生する段階と、を含むことを特徴とする。
【００２３】
前記抽出した負荷の情報によって前記抽出した電力量を区分して積算する段階は、前記制御部がそれぞれの負荷別にデータベースを構築し、前記抽出した電力量を区分して積算することを特徴とする。
【００２４】
また、上記電力量検出方法は、キー入力部のキー信号に応じて前記制御部が前記複数の負荷のうち一つを選択し、選択した負荷の積算電力量を表示部に表示する段階をさらに含むことを特徴とする。
【図面の簡単な説明】
【００２５】
以下では、添付の図面を参照しつつ、本発明を限定しない実施例に挙げて本発明をより詳細に説明し、一部の図面において同一の構成要素には同一の参照符号を付する。
【図１】本発明に係る電力量検出装置の全体構成を示す概略図である。
【図２】図１の電力量検出装置におけるそれぞれのコンセントユニットの好適な構成例を示す図である。
【図３】本発明に係る電力量検出方法において複数個のコンセントユニットのそれぞれの動作例を示すフローチャートである。
【図４】図１の電力量検出装置におけるサーバーの好適な構成例を示す図である。
【図５】本発明に係る電力量検出方法においてサーバーの好適な動作例を示すフローチャートである。
【発明を実施するための形態】
【００２６】
以下の詳細な説明は、例示的なもので、本発明の実施例を説明したものに過ぎない。また、本発明の原理及び概念は最も有用で容易に説明される。
このため、本発明の基本を理解する上で余分に詳細な構造は省略するとともに、当該技術の分野における通常の知識を有する者が、本発明の実体において実施できるような様々な形態を図面に例示する。
【００２７】
図１は、本発明の電力量検出装置の全体構成を示す概略図である。ここで、符号１０２及び符号１０４は電力線である。電力線１０２，１０４には、商用交流電力が供給される。
【００２８】
符号１１０は、複数個のコンセントユニットである。複数個のコンセントユニット１１０のそれぞれは、電気製品及び電子製品などの負荷に電力を供給する。また、複数個のコンセントユニット１１０のそれぞれは、自身が電力を供給する負荷とＰＬＣ（Ｐｏｗｅｒ  Ｌｉｎｅ  Ｃｏｍｍｕｎｉｃａｔｉｏｎ）通信を行うことで負荷の情報を獲得する。また、複数個のコンセントユニット１１０のそれぞれは、負荷に供給される電力量を単位時間間隔で検針し、検針した電力量を負荷の情報と共に電力線に伝送する。
【００２９】
符号１２０はサーバーである。サーバー１２０は、外部から入力される商用交流電力を電力線１０２，１０４を通して複数個のコンセントユニット１１０に供給し、複数個のコンセントユニット１１０に供給する全体電力量を検針する。また、サーバー１２０は、複数個のコンセントユニット１１０のそれぞれとＰＬＣ通信を行うことで、複数個のコンセントユニット１１０のそれぞれが負荷に供給する電力量と、電力を使用している負荷の情報を獲得し、獲得した電力量をそれぞれの負荷別に区分して積算する。また、サーバー１２０は、複数個のコンセントユニット１１０のそれぞれが負荷に供給する電力量を合算し、合算した合算電力量と検針した全体検針電力量とを比較することで、漏電が発生したか否かを判断し、漏電の発生と判断されると警報を発生する。
【００３０】
このような構成を有する本発明の電力量検出装置では、サーバー１２０が、外部から入力される商用交流電力を電力線１０２，１０４を通して複数個のコンセントユニット１１０のそれぞれに供給しながら全体電力量を検針する。
【００３１】
複数個のコンセントユニット１１０のそれぞれは、電力線１０２，１０４を通して供給される商用交流電力が負荷に供給されるか否かを判断する。商用交流電力がコンセントユニット１１０を通して負荷に供給される場合、コンセントユニット１１０は、当該負荷とＰＬＣ通信を行って負荷の情報を確認する。
【００３２】
すなわち、複数個のコンセントユニット１１０のそれぞれは、負荷に商用交流電力が供給される初期に当該負荷とＰＬＣ通信を行って負荷の情報を要請する。この要請に応じて負荷が提供する情報を複数個のコンセントユニット１１０のそれぞれが獲得し、自身が電力を供給する負荷の情報を確認する。
【００３３】
そして、複数個のコンセントユニット１１０のそれぞれは、当該負荷に供給される電力量を検針し、該検針した電力量を当該確認した負荷の情報と共にあらかじめ設定された単位時間間隔でＰＬＣ通信を行ってサーバー１２０に伝送する。
【００３４】
サーバー１２０は、電力線１０２，１０４を通して供給される全体電力量を累積検針しながら、複数個のコンセントユニット１１０のそれぞれが検針した電力量及び負荷の情報を含むメッセージが受信されるか否か判断する。
【００３５】
複数個のコンセントユニット１１０から当該メッセージが受信されると、サーバー１２０は、受信したメッセージから負荷の情報と電力量を抽出し、抽出した負荷の情報によって電力量を累積する。
【００３６】
そして、サーバー１２０は、複数個のコンセントユニット１１０から受信されるメッセージ中の負荷の情報によってそれぞれ累積した全体電力量を合算することで、合算電力量を計算する。合算電力量が計算されると、サーバー１２０は、自身が検針した全体検針電力量を計算された合算電力量と比較する。この比較の結果、全体検針電力量と合算電力量との差が、あらかじめ設定された値以上であれば、サーバー１２０は漏電の発生と判断し、警報を発生する。
【００３７】
また、サーバー１２０は、電力量の表示命令が発生するか否か判断し、電力量表示命令が発生すると、ユーザの操作によって選択される負荷の使用電力量を表示して確認可能にする。
【００３８】
図２は、図１に示す電力量検出装置における複数個のコンセントユニットのそれぞれの構成例を示す図である。ここで、符号２００はコンセントである。コンセント２００には負荷に装着されているプラグ（図示せず）が差し込まれ、これにより、電力線１０２，１０４を通して供給される商用交流電力が負荷に供給される。
【００３９】
符号２１０は電力量検出部である。電力量検出部２１０は、電力線１０２，１０４からコンセント２００を通して負荷に供給される電力量を検出する。
【００４０】
符号２２０はサブ制御部である。サブ制御部２２０は、電力量検出部２１０の出力信号から、コンセント２００にプラグが差し込まれた負荷に電力が供給されるか否かを判断する。この判断の結果、負荷に電力が供給される場合は、サブ制御部２２０は負荷とＰＬＣ通信を行って負荷の情報を獲得する。また、サブ制御部２２０は、電力量検出部２１０により検出される電力量を累積し、累積した電力量及び当該負荷の情報を、単位時間間隔でＰＬＣ通信を行って電力線１０２，１０４に伝送する。
【００４１】
符号２３０はメモリーである。メモリー２３０にはサブ制御部２２０の動作プログラムがあらかじめ格納されている。また、メモリー２３０には、サブ制御部２２０の作業データが格納される。また、メモリー２３０には、サブ制御部２２０の制御によって、電力量検出部２１０で検出される電力量が累積して格納される。
【００４２】
符号２４０はＰＬＣ通信部である。ＰＬＣ通信部２４０は、サブ制御部２２０の制御によって、電力線１０２，１０４を介して所定のデータを伝送及び受信するＰＬＣ通信を行う。
【００４３】
このような構成を有するコンセントユニット１１０は、電力線１０２，１０４に商用交流電力が供給されている状態でコンセント２００を通して負荷に商用交流電力が供給される場合に、電力量検出部２１０により負荷に供給される電力量が検出され、検出された電力量はサブ制御部２２０に入力される。
【００４４】
すると、サブ制御部２２０は、電力量検出部２１０の検出信号から、電力線１０２，１０４からコンセント２００を通して負荷に電力が供給されることを判断し、電力を使用する負荷の情報を要請する情報要請メッセージを生成する。サブ制御部２２０により生成された情報要請メッセージは、ＰＬＣ通信部２４０を介して電力線１０２，１０４に出力される。
【００４５】
すなわち、ＰＬＣ通信部２４０は、ＰＬＣ通信を行って当該情報要請メッセージを電力線１０２，１０４に出力する。
【００４６】
電力線１０２，１０４に出力された情報要請メッセージは、コンセント２００を通して負荷に転送されるもので、該情報要請メッセージに応じて負荷は自身にあらかじめ格納されている情報をＰＬＣ通信を行ってコンセント２００を通して電力線１０２，１０４に伝送する。
【００４７】
すなわち、負荷は、ＰＬＣ通信を行うＰＬＣ通信部と、該ＰＬＣ通信部の動作を制御する制御部と、負荷の情報、例えば、製品の名称、識別番号及び製品の固有コードなどを格納しているメモリーと、を含んでなる。
【００４８】
この負荷において、ＰＬＣ通信部２４０から電力線１０２，１０４に出力する情報要請メッセージを受信すると、制御部は、メモリーから負荷の情報を抽出し、抽出した負荷の情報をＰＬＣ通信によって電力線１０２，１０４に出力する。
【００４９】
負荷が電力線１０２，１０４に出力する負荷の情報はＰＬＣ通信部２４０を介してサブ制御部２２０に入力され、これにより、サブ制御部２２０は、コンセント２００を通して供給される電力を使用している負荷を確認することができる。
【００５０】
然るに、サブ制御部２２０がＰＬＣ通信部２４０を介して電力線１０２，１０４に出力する情報要請メッセージが、自身のコンセント２００に連結されている負荷ではなく別のコンセントに連結されている負荷に転送されると、この負荷は自身の負荷情報を伝送し、この情報をＰＬＣ通信部２４０を通してサブ制御部２２０が受信することになるため、サブ制御部２２０が自身のコンセント２００に連結されている負荷を誤認識するエラーが生じる問題につながる。
【００５１】
このため、本発明の実施例では、電力線１０２，１０４とＰＬＣ通信部２４０とが連結された部位の前段に、例えば、電力は正常に通過させ、ＰＬＣ通信部２４０が送受信するデータを遮断するフィルターを設けることが好ましい。そして、サブ制御部２２０がＰＬＣ通信部２４０を制御して情報要請メッセージを電力線１０２，１０４に出力する場合に、サブ制御部２２０がフィルターを活性化させて、自身のコンセント２００にプラグが差し込まれている負荷にのみ情報要請メッセージが転送されるようにすることが好ましい。
【００５２】
コンセント２００にプラグが差し込まれている負荷の情報が判断されると、サブ制御部２２０は、電力量検出部２１０で検出される電力量を積算し、積算した電力量を単位時間間隔で負荷の情報と共にＰＬＣ通信部２４０を通して電力線１０２，１０４に出力してサーバー１２０に転送する。
【００５３】
図３は、本発明に係る電力量検出方法において複数個のコンセントユニットのそれぞれの動作例を示すフローチャートである。図３を参照すると、サブ制御部２２０は、電力量検出部２１０の出力信号から、コンセント２００に負荷のプラグが差し込まれて電力が供給されるか否かを判断する（Ｓ３００）。
【００５４】
この判断の結果、コンセント２００を通して電力が供給されると、サブ制御部２２０は、情報要請メッセージを生成し、生成した情報要請メッセージをＰＬＣ通信部２４０を介して電力線１０２，１０４に出力して当該負荷に伝送する（Ｓ３０２）。
【００５５】
そして、サブ制御部２２０は、コンセント２００にプラグか差し込まれている負荷から負荷の情報が受信されるか否か判断する（Ｓ３０４）。
【００５６】
負荷の情報を受信すると、サブ制御部２２０は、コンセント２００にプラグが差し込まれている負荷の情報を確認し（Ｓ３０６）、電力量検出部２１０で検出される電力量を積算する（Ｓ３０８）。
【００５７】
また、サブ制御部２２０は、あらかじめ設定された単位時間が経過したか否か判断し（Ｓ３１０）、単位時間が経過する度に負荷の情報及び積算した電力量をＰＬＣ通信部２４０を通して電力線１０２，１０４からサーバー１２０に伝送し（Ｓ３１２）、累積電力量をリセットさせる（Ｓ３１４）。
【００５８】
そして、サブ制御部２２０は、電力量検出部２１０の出力信号から、コンセント２００にプラグが差し込まれている負荷に電力が続けて供給されるか否か判断する（Ｓ３１６）。この判断の結果、負荷に電力が続けて供給されると、サブ制御部２２０は、段階Ｓ３０８に戻り、電力量検出部２１０が出力する電力量を続けて積算し、積算した電力量を負荷の情報と共に単位時間間隔でＰＬＣ通信部２４０を介して電力線１０２，１０４に出力してサーバー１２０に伝送する動作を繰り返し行う。
【００５９】
一方、サブ制御部２２０は、段階Ｓ３１６で電力供給が停止したと判断されると、電力量を累積し、サーバー１２０に伝送する動作を終了する。
【００６０】
図４は、本発明の電力量検出装置におけるサーバーの好適な構成例を示す図である。ここで、符号４００は電力量検出部である。電力量検出部４００は、電力線１０２，１０４を通して供給される電力量を検出する。
【００６１】
符号４１０は、ＰＬＣ通信部である。ＰＬＣ通信部４１０は、電力線１０２，１０４を介して所定のデータを伝送及び受信するＰＬＣ通信を行う。
【００６２】
符号４２０はメイン制御部である。メイン制御部４２０は、電力量検出部４００の出力信号を用いて、電力線１０２，１０４を通して供給される全体電力量を積算する。また、メイン制御部４２０は、複数個のコンセントユニット１１０のそれぞれが伝送するデータを受信して、負荷別に使用電力量を積算する。また、メイン制御部４２０は、負荷別に積算した電力量を合算した全体合算電力量と電力量検出部４００の出力信号から検針した全体検針電力量とを比較し、その比較結果、合算電力量と全体検針電力量との差があらかじめ設定された値以上になると、漏電の発生と判断し、警報を発生させる。
【００６３】
符号４３０はキー入力部である。キー入力部４３０は、複数個のファンクションキーを備え、ユーザが複数個のファンクションキーを選択的に操作すると所定の動作命令を生成してメイン制御部４２０に出力する。
【００６４】
符号４４０はメモリーである。メモリー４３０には、メイン制御部４２０の動作プログラムがあらかじめ格納されている。また、メモリー４４０には、メイン制御部４２０が電力量検出部４００で検出された電力を積算した全体検針電力量が格納される。また、メモリー４４０には、メイン制御部４２０が負荷別にデータベースを構築し、構築したデータベースに該当の負荷が使用した電力量が日付別及び時間別などに区分して格納される。
【００６５】
符号４５０は表示部である。表示部４５０には、メイン制御部４２０の制御によって全体検針電力量及び負荷別に積算した電力量が時間別及び日付別などに区分して表示される。
【００６６】
符号４６０は警報部である。警報部４６０は、メイン制御部４２０の制御によって漏電の発生を警報する。
【００６７】
このような構成を有する本発明のサーバー１２０では、電力量検出部４００が、電力線１０２，１０４を通して複数個のコンセントユニット１１０に供給して負荷が使用する電力量を検出し、検出した電力量をメイン制御部４２０に出力する。
【００６８】
すると、メイン制御部４２０は、電力量検出部４００により検出される電力量を積算して、複数個のコンセントユニット１１０のコンセント２００にそれぞれ差し込まれた負荷が使用する全体電力量を検出し、検出した全体電力量をメモリー４４０に格納するとともに表示部４５０に表示することでユーザが確認できるようにする。
【００６９】
そして、ＰＬＣ通信部４１０が、電力線１０２，１０４を介して転送されるデータを受信し、受信したデータをメイン制御部４２０に入力する。
【００７０】
メイン制御部４２０は、ＰＬＣ通信部４１０からデータを受信すると、該受信したデータから、負荷の情報及び電力量を抽出し、抽出した情報に該当する負荷のデータベースをメモリー４４０に構築する。そして、メイン制御部４２０は、構築したデータベースに該当の負荷が使用した電力量を時間別及び日付別などに区分して格納する。
【００７１】
また、メイン制御部４２０は、データベースに格納したそれぞれの負荷が使用した電力量全体を合算して合算電力量を計算し、計算した合算電力量と電力量検出部４００の出力信号から検針した全体検針電力量とを比較し、比較の結果、合算電力量と全体検針電力量との差があらかじめ設定された値以上になると、漏電が発生したと判断し、警報部４６０を制御して警報を発生する。
【００７２】
また、メイン制御部４２０は、キー入力部４３０から入力されるキー信号に応じて電力量を検出する負荷を選択し、選択した負荷の電力量を時間別または日付別に表示部４５０に表示して、ユーザが確認できるようにする。
【００７３】
図５は、本発明の電力量検出方法においてサーバーの好適な動作例を示すフローチャートである。図５を参照すると、メイン制御部４２０は、電力量検出部４００が電力量を検出して出力する電力量検出信号を受信し（Ｓ５００）、受信した電力量検出信号の電力量を、メモリー４４０に格納されている全体検針電力量に積算するとともに、積算した全体検針電力量を表示部４５０に表示させ、メモリー４４０に更新して格納する（Ｓ５０２）。
【００７４】
そして、メイン制御部４２０は、複数個のコンセントユニット１１０が電力線１０２，１０４に出力するデータをＰＬＣ通信部４１０を介して受信されるか否か判断する（Ｓ５０４）。
【００７５】
この判断の結果、データを受信した場合、メイン制御部４２０は、受信したデータから負荷の情報及び電力量を抽出し（Ｓ５０６）、抽出した負荷の情報に該当する負荷が、メモリー４４０にデータベースが構築されていない新規負荷であるか否か判断する（Ｓ５０８）。
【００７６】
この判断の結果、メモリー４４０にデータベースが構築されていない新規負荷の場合は、メイン制御部４２０は、メモリー４４０にデータベースを構築し（Ｓ５１０）、このデータベースに当該電力量を時間別及び日付別などに区分して積算する（Ｓ５１２）。
【００７７】
そして、メイン制御部４２０は、キー入力部４３０から所定のキー信号が入力されるか否か判断し（Ｓ５１４）、キー信号が入力されると、キー信号に応じて、データベースを構築している負荷を一つずつ選択し（Ｓ５１６）、選択した負荷が使用した電力量を、メモリー４４０に格納されている該当の負荷のデータベースから抽出し、表示部４５０に表示して、ユーザが確認できるようにする（Ｓ５１８）。
【００７８】
また、メイン制御部４２０は、メモリー４４０に格納されているそれぞれの負荷の電力量を全部合算して合算電力量を計算し（Ｓ５２０）、計算した合算電力量を全体検針電力量と比較して差分値を計算する（Ｓ５２２）。この差分値が計算されると、メイン制御部４２０は、計算された差分値が、あらかじめ設定された値以上であるか否か判断する。
【００７９】
この判断の結果、差分値があらかじめ設定された値より小さいと、メイン制御部４２０は、漏電が発生していないと判断し、段階Ｓ５００に戻って全体検針電力量を積算しながら表示部４５０に表示し、それぞれの負荷が使用した電力量を時間別及び日付別などに区分してデータベースに積算して格納し、キー信号の入力に応じて該当の負荷の電力量を表示した後、漏電の発生有無を判断する動作を繰り返し行う。
【００８０】
そして、段階Ｓ５２４で、計算された差分値があらかじめ設定された値以上であると、メイン制御部４２０は、漏電が発生したと判断し、警報部４６０を制御して漏電の発生を警報し（Ｓ５２６）、段階Ｓ５００に戻る。
【００８１】
本発明の電力量検出装置は、それぞれのコンセントを通してそれぞれの負荷に供給される電力を検出して表示する。
【００８２】
したがって、ユーザは、自身が持っている負荷のそれぞれが使用する電力量を確認し、電力を多く使用する負荷の電力使用を抑えて、電力使用の効率化を図ることができる。
【００８３】
また、微小な漏電の発生も正確に検出して表示するから、漏電に対応して所定の措置を取り、漏電による事故の発生を未然に防ぐことができる。
【００８４】
以上では代表的な実施例に挙げて本発明を詳細に説明してきたが、これらの実施例に限定されず、本発明の範ちゅうを逸脱しない限度内で様々な変形実施が可能であるということは、本発明の属する技術の分野における通常の知識を有する者にとっては明らかである。
したがって、本発明の権利範囲は、説明された実施例によって定められてはならず、添付の特許請求の範囲及びその均等範囲で定められるべきである。
【図１】
2011185928.tif 000003
【図２】
2011185928.tif 000004
【図３】
2011185928.tif 000005
【図４】
2011185928.tif 000006
【図５】
2011185928.tif 000007